(57)【要約】【課題】  足部の血行を良くして寝心地が良好になるようにすること。【解決手段】  身体Ｍを支えるための布団本体３を敷布４ａと下敷きカバー４ｂとからなる袋体４内に配置した敷布団であって、前記布団本体３上の中央から下端縁にかけて側面視略三角形状の足載せマット５が配置され、該足載せマット５の頂部を布団本体３の下端縁近傍に位置決めすることにより、その足載せマット５の頂部から布団本体３の中央に向かう傾斜面Ｌがなだらかに形成されており、布団本体３の上端縁から中央のまでの上半分で身体Ｍの上半身を支えると共に、足載せマット５の傾斜面Ｌで身体Ｍの足部を支え、その足載せマット５の頂部で足部の踝を支えるようにした。【選択図】        図１
0003109155.tif 000002
【実用新案登録請求の範囲】
【請求項１】
身体を支えるための布団本体を敷布と下敷きカバーとからなる袋体内に配置した敷布団であって、前記布団本体上の中央から下端縁にかけて側面視略三角形状の足載せマットが配置され、該足載せマットの頂部を布団本体の下端縁近傍に位置決めすることにより、その足載せマットの頂部から布団本体の中央に向かう傾斜面がなだらかに形成されており、布団本体の上端縁から中央のまでの上半分で身体の上半身を支えると共に、足載せマットの傾斜面で身体の足部を支え、その足載せマットの頂部で足部の踝を支えるようにしてなる敷布団。
【請求項２】
前記足載せマットの底面から頂部までの高さが３〜７ｃｍ（好ましくは５ｃｍ）に設定されてなる請求項１に記載の敷布団。
【請求項３】
前記足載せマットが、幅が異なる複数のマット部材からなり、その各マット部材を側面視略三角形となるように積み重ねてなる請求項１または２に記載の敷布団。
【請求項４】
前記布団本体及び足載せマットがウレタンフォームからなる請求項１〜３のいずれかに記載の敷布団。
【請求項５】
前記足載せマット上に低反発ウレタンからなる低反発マットが配置されてなる請求項１〜４のいずれかに記載の敷布団。
【請求項６】
前記敷布とほぼ同形の遠赤外線マットが該敷布の下側に配置されてなる請求項１〜５に記載の敷布団。
【考案の詳細な説明】
【技術分野】
【０００１】
本考案は、足部の血行を良くして寝心地が良好な敷布団に関する。
【背景技術】
【０００２】
従来、足部の血行を良くする寝具として特許文献１に記載したものがある。これは、図７に示すように、身体を支えるマットレス１の上面１ａの全体を所定角度αで傾斜させたものであって、マットレス１の上面１ａの低い側に配置した枕２に頭を載せて身体をそのマットレス１上に横たえることにより、身体の足部の高さを心臓の位置よりも高くして寝るようになっている。
【０００３】
上記構成によれば、足部が心臓よりも高い位置にあるため、血液の循環が活発になって足部の血行が良くなり、その足部を暖めることができる。
【特許文献１】特開平５−１８４４３８号公報
【考案の開示】
【考案が解決しようとする課題】
【０００４】
上記従来の構成では、マットレス１の上面１ａの全体が傾斜しているため、身体の上半身が下向きに傾き、頭部側に血液が集まり、寝心地が悪いとい欠点がある。
【０００５】
本考案は、上記従来の欠点に鑑み、足部の血行を良くして寝心地が良好な敷布団を提供することを目的としている。
【課題を解決するための手段】
【０００６】
上記目的を達成するための構成を実施の形態に対応する図面に基づいて説明すると、請求項１に記載の考案は、図１〜図６に示すように、身体Ｍを支えるための布団本体３を敷布４ａと下敷きカバー４ｂとからなる袋体４内に配置した敷布団であって、前記布団本体３上の中央から下端縁にかけて側面視略三角形状の足載せマット５が配置され、該足載せマット５の頂部を布団本体３の下端縁近傍に位置決めすることにより、その足載せマット５の頂部から布団本体３の中央に向かう傾斜面Ｌがなだらかに形成されており、布団本体３の上端縁から中央のまでの上半分で身体Ｍの上半身を支えると共に、足載せマット５の傾斜面Ｌで身体Ｍの足部を支え、その足載せマット５の頂部で足部の踝を支えるようにしてなる構成を採用するものである。
【０００７】
請求項２記載の考案は、請求項１に記載の考案において、前記足載せマット５の底面から頂部までの高さが３〜７ｃｍ（好ましくは５ｃｍ）に設定されてなる構成を採用する。
【０００８】
請求項３に記載の考案は、請求項１または２に記載の考案において、前記足載せマット５が、幅が異なる複数のマット部材５ａ〜５ｄからなり、その各マット部材５ａ〜５ｄを側面視略三角形となるように積み重ねてなる構成を採用する。
【０００９】
請求項４に記載の考案は、請求項１〜３のいずれかに記載の考案において、前記布団本体３及び足載せマット５がウレタンフォームからなる構成を採用する。
【００１０】
請求項５に記載の考案は、請求項１〜４のいずれかに記載の考案において、前記足載せマット５上に低反発ウレタンからなる低反発マット６が配置されてなる構成を採用する。
【００１１】
請求項６に記載の考案は、請求項１〜５のいずれかに記載の考案において、前記敷布４ａとほぼ同形の遠赤外線マット７が該敷布４ａの下側に配置されてなるを採用するものである。
【考案の効果】
【００１２】
請求項１に記載の考案によれば、側面視略三角形状の足載せマット５のなだらかな傾斜面Ｌで身体Ｍの足部を支えるようになっており、心臓に対して足部の位置が高くなって血液の循環が活発化するから、その足部の血行がよくなってむくみもとれて暖められ、また、足載せマット５の頂部で足部の踝を支えることにより、その踝に対して指圧効果が働き、しかも、布団本体３の上半分で身体Ｍの上半身を水平状態で支えているから、従来のように頭部側に血液が集まることがなく、頭寒足熱状態となって寝心地が良好である。従って、冷え性や低血圧の人でも快適に安眠することができる。
【００１３】
請求項２に記載の考案において、足載せマット５の高さが３ｃｍ未満の場合には、その足載せマット５上に載せた足部の位置が心臓に対して低すぎて、足部から心臓側に血液を戻す作用が小さくなって血液循環の活性化を図ることができず、また、足載せマット５の高さが７ｃｍを超える場合には、足載せマット５上に載せた足部の位置が心臓に対して高すぎて、心臓に負担がかかる。
【００１４】
そこで、本考案では、実験の結果、足載せマット５の高さを３〜７ｃｍ（好ましくは５ｃｍ）に設定することにより上記問題点を解消することができることを確かめ、心臓に負担をかけることなく血液の循環を活発化させることができるようにした。
【００１５】
請求項３に記載の考案によれば、幅が異なる複数のマット部材５ａ〜５ｄを積み重ねることにより、足載せマット５を所望の側面視略三角形状に形成することができる。
【００１６】
請求項４に記載の考案によれば、布団本体３及び足載せマット５をウレタンフォームで形成することにより、身体Ｍを弾力的に支えて寝心地の良い敷布団を提供することができる。
【００１７】
請求項５記載の考案によれば、足載せマット５上に配置した低反発ウレタンからなる低反発マット６により足部の体圧を適度に分散して寝心地を良好に維持することができる。
【００１８】
請求項６に記載の考案によれば、敷布４ａの下側に配置した遠赤外線マット７から放出される遠赤外線により、冬は暖かく夏はサラッとした涼感を得ることができる。
【考案を実施するための最良の形態】
【００１９】
図１〜図６は本考案の実施の一形態である敷布団を示すものであって、身体Ｍを支えるための布団本体３が袋体４内に配置されており、該布団本体３は、例えば縦幅ｄ１が２００ｃｍで横幅が１００ｃｍのウレタンフォームからなり、その布団本体３の中央３ａから下端縁３ｂにかけての下半分３Ａ上に側面視略三角形状のウレタンフォームからなる足載せマット５が配置され、該足載せマット５上に低反発マット６が配置され、袋体４内の上部に遠赤外線マット７が配置されている。
【００２０】
前記袋体４は、図５及び図６に示すように、敷布４ａと下敷きカバー４ｂとからなり、その両者４ａ，４ｂの外周縁を縁飾り４ｃを介して縫製することにより密封袋状に形成され、前記敷布４ａの上面にミンクボアと称する柔らかい起毛加工が施されて肌触りを良好にしている。
【００２１】
前記足載せマット５は、図５及び図６に示すように、幅ｔ１〜ｔ４が異なる複数（この実施の形態では４枚）のマット部材５ａ〜５ｄからなり、その各マット部材５ａ〜５ｄを側面視略三角形となるように積み重ねたものであって、最下段のマット部材５ｄの下面からその頂部を形成する最上段のマット部材５ａまでの高さｈが３〜７ｃｍ（好ましくは５ｃｍ）に設定され、頂部を形成する最上段のマット部材５ａを布団本体３の下端縁３ｂ近傍に位置決めすることにより、その足載せマット５の頂部から布団本体３の中央３ａに向かう傾斜面Ｌ（図１参照）がなだらかに形成されている。なお、図１中、８は袋体４と布団本体３とを一体的に接続するための高周波キルティングである。
【００２２】
図１〜図３に示すように、布団本体３の上端縁３ｃから中央３ａのまでの上半分３Ｂで身体Ｍの上半身を支えると共に、足載せマット５の傾斜面Ｌで身体Ｍの足部を支え、その足載せマット５の頂部を形成する最上段のマット部材５ａで足部の踝を支える。
【００２３】
上記構成によれば、足載せマット５のなだらかな傾斜面Ｌで身体Ｍの足部を支えるようになっており、心臓に対して足部の位置が高くなって血液の循環が活発化するから、その足部の血行がよくなってむくみもとれて暖められ、また、足載せマット５の頂部で足部の踝を支えることにより、その踝に対して指圧効果が働き、しかも、布団本体３の上半分３Ｂで身体Ｍの上半身を水平状態で支えているから、従来のように頭部側に血液が集まることがなく、頭寒足熱状態となって寝心地が良好である。従って、冷え性や低血圧の人でも快適に安眠することができる。
【００２４】
また、足載せマット５の高さｈが３ｃｍ未満の場合には、その足載せマット５上に載せた足部の位置が心臓に対して低すぎて、足部から心臓側に血液を戻す作用が小さくなって血液循環の活性化を図ることができず、また、足載せマット５の高さｈが７ｃｍを超える場合には、足載せマット５上に載せた足部の位置が心臓に対して高すぎて、心臓に負担がかかる。
【００２５】
そこで、実験の結果、足載せマット５の高さｈを３〜７ｃｍ（好ましくは５ｃｍ）に設定することにより上記問題点を解消することができることを確かめ、心臓に負担をかけることなく血液の循環を活発化させることができるようにした。
【００２６】
更に、幅ｔ１〜ｔ４が異なる複数のマット部材５ａ〜５ｄを積み重ねることにより、足載せマット５を所望の側面視略三角形状に形成することができる。
【００２７】
しかも、布団本体３及び足載せマット５をウレタンフォームで形成することにより、身体Ｍを弾力的に支えて寝心地の良い敷布団を提供することができる。
【００２８】
前記低反発マット６は、足載せマット５の全体を覆うものであって、低反発ウレタンからなっており、足部の体圧を適度に分散して寝心地を良好に維持することができる。
【００２９】
前記遠赤外線マット７は、備長炭やセラミック及びゲルマニウムなどの遠赤外線作用を有する粉末を合成繊維に含有させたものであって、敷布４ａとほぼ同形で該敷布４ａの下側に配置されており、その遠赤外線マット７から放出されるマイナスイオン電子により、冬は暖かく夏はサラッとした涼感を得ることができる。
【図面の簡単な説明】
【００３０】
【図１】本考案の実施の一形態である敷布団の側面図である。
【図２】同平面図である。
【図３】同背面図である。
【図４】同斜視図である。
【図５】同分解斜視図である。
【図６】同拡大縦断面図である。
【図７】従来例を示す斜視図である。
【符号の説明】
【００３１】
３          布団本体
３ａ        布団本体の中央
３ｂ        布団本体の下端縁
３ｃ        布団本体の上端縁
３Ａ        布団本体の下半分
３Ｂ        布団本体の上半分
４          袋体
４ａ        敷布
４ｂ        下敷きカバー
５          足載せマット
５ａ〜５ｄ  マット部材
６          低反発マット
７          遠赤外線マット
ｈ          足載せマットの高さ
Ｌ          足載せマットの傾斜面
ｔ１〜ｔ４  マット部材の幅
Ｍ          身体
【図１】
0003109155.tif 000003
【図２】
0003109155.tif 000004
【図３】
0003109155.tif 000005
【図４】
0003109155.tif 000006
【図５】
0003109155.tif 000007
【図６】
0003109155.tif 000008
【図７】
0003109155.tif 000009
【手続補正書】
【提出日】平成16年12月17日(2004.12.17)
【手続補正１】
【補正対象書類名】実用新案登録請求の範囲
【補正対象項目名】全文
【補正方法】変更
【補正の内容】
【実用新案登録請求の範囲】
【請求項１】
身体を支えるための布団本体を敷布と下敷きカバーとからなる袋体内に配置した敷布団であって、前記布団本体上の中央から下端縁にかけて側面視略三角形状の足載せマットが配置され、該足載せマットの頂部を布団本体の下端縁近傍に位置決めすることにより、その足載せマットの頂部から布団本体の中央に向かう傾斜面がなだらかに形成されており、布団本体の上端縁から中央のまでの上半分で身体の上半身を支えると共に、足載せマットの傾斜面で身体の足部を支え、その足載せマットの頂部で足部の踝を支えるようにしてなる敷布団。
【請求項２】
前記足載せマットの底面から頂部までの高さが３〜７ｃｍに設定されてなる請求項１に記載の敷布団。
【請求項３】
前記足載せマットが、幅が異なる複数のマット部材からなり、その各マット部材を側面視略三角形となるように積み重ねてなる請求項１または２に記載の敷布団。
【請求項４】
前記布団本体及び足載せマットがウレタンフォームからなる請求項１〜３のいずれかに記載の敷布団。
【請求項５】
前記足載せマット上に低反発ウレタンからなる低反発マットが配置されてなる請求項１〜４のいずれかに記載の敷布団。
【請求項６】
前記敷布とほぼ同形の遠赤外線マットが該敷布の下側に配置されてなる請求項１〜５に記載の敷布団。
【手続補正２】
【補正対象書類名】明細書
【補正対象項目名】０００７
【補正方法】変更
【補正の内容】
【０００７】
請求項２記載の考案は、請求項１に記載の考案において、前記足載せマット５の底面から頂部までの高さが３〜７ｃｍに設定されてなる構成を採用する。
【手続補正３】
【補正対象書類名】明細書
【補正対象項目名】００１４
【補正方法】変更
【補正の内容】
【００１４】
そこで、本考案では、実験の結果、足載せマット５の高さを３〜７ｃｍに設定することにより上記問題点を解消することができることを確かめ、心臓に負担をかけることなく血液の循環を活発化させることができるようにした。
【手続補正４】
【補正対象書類名】明細書
【補正対象項目名】００２１
【補正方法】変更
【補正の内容】
【００２１】
前記足載せマット５は、図５及び図６に示すように、幅ｔ１〜ｔ４が異なる複数（この実施の形態では４枚）のマット部材５ａ〜５ｄからなり、その各マット部材５ａ〜５ｄを側面視略三角形となるように積み重ねたものであって、最下段のマット部材５ｄの下面からその頂部を形成する最上段のマット部材５ａまでの高さｈが３〜７ｃｍ、好ましくは５ｃｍに設定され、頂部を形成する最上段のマット部材５ａを布団本体３の下端縁３ｂ近傍に位置決めすることにより、その足載せマット５の頂部から布団本体３の中央３ａに向かう傾斜面Ｌ（図１参照）がなだらかに形成されている。なお、図１中、８は袋体４と布団本体３とを一体的に接続するための高周波キルティングである。
【手続補正５】
【補正対象書類名】明細書
【補正対象項目名】００２５
【補正方法】変更
【補正の内容】
【００２５】
そこで、実験の結果、足載せマット５の高さｈを３〜７ｃｍ、好ましくは５ｃｍに設定することにより上記問題点を解消することができることを確かめ、心臓に負担をかけることなく血液の循環を活発化させることができるようにした。